(57)【要約】【課題】日送り機構および月送り機構が薄いカレンダ機構付き時計を提供する。【解決手段】本発明のカレンダ機構付き時計は、日車２２０の回転および月車２４０の回転に基づいて、日送り爪２１２が日車２２０を回転させる作動を規正する日送り規正レバー２３０と、日車２２０の回転に基づいて、月送り爪２１６が月車２４０を回転させる作動を規正する月送り規正レバー２５０とを備える。日送り規正レバー２３０の日車係合部２３４は、日車２２０の内側壁部２２１と接触する。月送り規正レバー２５０の月送り規正レバーピン２５４は、日車２２０の外側壁部２２２と接触する。日送り制御用カム２２７が日車２２０の内側壁部２２１に設けられる。月送り制御用カム２２８が日車２２０の外側壁部２２２に設けられる。【選択図】図１
2008058093.tif 000002
【特許請求の範囲】
【請求項１】
月車と日車を有するカレンダ機構付き時計において、
日を表示する日車（２２０）と、
月を表示する月車（２４０）と、
２４時間に１回転するように構成された日回し車（２１０）と、
日回し車（２１０）の回転に基づいて、日車（２２０）を回転させることができるように構成された日送り爪（２１２）と、
日回し車（２１０）の回転に基づいて、月車（２４０）を回転させることができるように構成された月送り爪（２１６）と、
日車（２２０）の回転および月車（２４０）の回転に基づいて、日送り爪（２１２）が日車（２２０）を回転させる作動を規正することができるように構成された日送り規正レバー（２３０）と、
日車（２２０）の回転に基づいて、月送り爪（２１６）が月車（２４０）を回転させる作動を規正することができるように構成された月送り規正レバー（２５０）とを備え、
日車（２２０）は、ムーブメントの内側に面する内側壁部（２２１）と、ムーブメントの外側に面する外側壁部（２２２）と、日文字（２２３）を設けた日表示面部（２２４）と、日送り爪（２１２）の日送り部（２１３）に接触する日車歯部（２２６）とを含むように構成され、
日送り規正レバー（２３０）の日車係合部（２３４）は、日車（２２０）の内側壁部（２２１）と接触するように構成され、月送り規正レバー（２５０）の月送り規正レバーピン（２５４）は、日車（２２０）の外側壁部（２２２）と接触するように構成される、
ことを特徴とするカレンダ機構付き時計。
【請求項２】
日車（２２０）の表示が「３０日」であるときを検出するための日送り制御用カム（２２７）が、日車（２２０）の内側壁部（２２１）に設けられ、日車（２２０）の表示が「３１日」であるときを検出するための月送り制御用カム（２２８）が、日車（２２０）の外側壁部（２２２）に設けられることを特徴とする、請求項１に記載のカレンダ機構付き時計。
【請求項３】
日車（２２０）の内側壁部（２２１）は、日表示面部（２２４）の下側に配置されることを特徴とする、請求項１に記載のカレンダ機構付き時計。
【請求項４】
日車（２２０）の内側壁部（２２１）は、日車（２２０）の下面側に配置され、日車歯部（２２６）は、日車（２２０）の下面側に配置されることを特徴とする、請求項１に記載のカレンダ機構付き時計。
【請求項５】
月送り規正レバー（２５０）は、日車（２２０）および日回し車（２１０）の下側に配置されることを特徴とする、請求項１に記載のカレンダ機構付き時計。
【請求項６】
月送り規正レバー（２５０）は、日回し車（２１０）の回転中心および月車（２４０）の回転中心を通る直線にそって、直線運動することができるように構成されることを特徴とする、請求項５に記載のカレンダ機構付き時計。
【請求項７】
月送り規正レバー（２５０）の一部分は、日回し車（２１０）の一部分と重なるように配置され、かつ、日送り規正レバー（２３０）の一部分と重なるように配置されることを特徴とする、請求項１に記載のカレンダ機構付き時計。
【請求項８】
日回し車（２１０）および月送り規正レバー（２５０）は、電池（４４０）と重ならないように配置されることを特徴とする、請求項１に記載のカレンダ機構付き時計。
【請求項９】
日車（２２０）の外側壁部（２２２）に設けられた月送り制御用カム（２２８）の最上部の位置が、前記日車（２２０）に設けられた日車歯部（２２６）の上面と同じ位置になるように構成され、もしくは、前記日車（２２０）に設けられた日車歯部（２２６）の上面よりも上側の位置になるように構成されることを特徴とする、請求項１に記載のカレンダ機構付き時計。
【請求項１０】
日車（２２０）の外側壁部（２２２）に設けられた月送り制御用カム（２２８）の最上部の位置が、前記日送り制御用カム（２２７）の最下部と同じ位置になるように構成され、もしくは、前記日送り制御用カム（２２７）の最下部よりも上側に位置するように構成されることを特徴とする、請求項１に記載のカレンダ機構付き時計。
【発明の詳細な説明】
【技術分野】
【０００１】
本発明は、月車と、日車とを有するカレンダ機構付き時計に関する。特に、本発明は、時計の内側に配置された月車により月を表示し、月車の外側に配置された日車により日を表示して、２月以外の月末に日車の表示を修正する必要がないように構成したカレンダ機構付き時計に関する。
【背景技術】
【０００２】
一般に、時計の駆動部分を含む機械体を「ムーブメント」と称する。ムーブメントに文字板、針を取り付けて、時計ケースの中に入れて完成品にした状態を時計の「コンプリート」と称する。時計の基板を構成する地板の両側のうちで、時計ケースのガラスのある方の側、すなわち、文字板のある方の側をムーブメントの「裏側」又は「ガラス側」又は「文字板側」と称する。地板の両側のうちで、時計ケースの裏蓋のある方の側、すなわち、文字板と反対の側をムーブメントの「表側」又は「裏蓋側」と称する。ムーブメントの「表側」に組み込まれる輪列を「表輪列」と称する。ムーブメントの「裏側」に組み込まれる輪列を「裏輪列」と称する。
【０００３】
一般に、「１２時側」とは、アナログ式時計において、文字板の１２時に対応する目盛が配置されている方の側を示す。「１２時方向」とは、アナログ式時計において、指針の回転中心から「１２時側」に向かう方向を示す。また、「３時側」とは、アナログ式時計において、文字板の３時に対応する目盛が配置されている方の側を示す。「３時方向」とは、アナログ式時計において、指針の回転中心から「３時側」に向かう方向を示す。また、「６時側」とは、アナログ式時計において、文字板の６時に対応する目盛が配置されている方の側を示す。「６時方向」とは、アナログ式時計において、指針の回転中心から「６時側」に向かう方向を示す。また、「９時側」とは、アナログ式時計において、文字板の９時に対応する目盛が配置されている方の側を示す。「９時方向」とは、アナログ式時計において、指針の回転中心から「９時側」に向かう方向を示す。さらに、「２時方向」、「２時側」のように、その他の文字板の目盛が配置されている方の側を示すことがある。
【０００４】
従来の第一タイプのカレンダ機構付き時計は、日板の１日目を検出するための１日目凹部と、日板の３０日目を検出するための３０日目凹部とが、日回し車の回転軸方向について、日板の内径上に同一の階層に形成されている。日送り爪と、月送り爪が日回し車に設けられている。１日検出レバーの１日検出部によって１日を検出し、月送り制御装置の月送り規制部によって月送り爪を制御し、１日以外は月送りしないようになっている。１日になると、月送り爪により月板を送る。大月の場合、日板の凹部にかかわらず、日送り規制部によって日送り爪を制御し、日送り爪により日板を１日送る。小月の場合、３０日検出部が日板の凹部に係合し、日送り規制部によって日送り爪を制御し、日送り爪により日板の歯を２歯送る。３０日の検出と、小月の検出を同時に検出した時のみ、日送り爪により日板の歯を２歯送る（例えば、特許文献１参照）。
【０００５】
従来の第二タイプのカレンダ機構付き時計では、日送り爪が接触する歯部と、日板の３０日目を検出するための３０日目凹部と、日板の１日目を検出するための１日目凹部とが、日回し車の回転軸方向について、日板の内径上に異なる階層に段階的に形成されている（例えば、特許文献２参照）。
【０００６】
【特許文献１】特許第２６５１１５０号公報
【特許文献２】特開２００５−１９５３７０号公報
【発明の開示】
【発明が解決しようとする課題】
【０００７】
従来の第一タイプのカレンダ機構付き時計では、日板の１日目凹部と、日板の３０日目凹部とが、同一の階層に形成されているので、３０日検出部が、日板の両方の凹部をも検出して、カレンダ機構の作動が不安定となる課題があった。
【０００８】
従来の第二タイプのカレンダ機構付き時計では、３０日目検出レバーに係合する日板の３０日目凹部と、１日目検出レバーに係合する日板の１日目凹部は異なる階層に形成されているので、日板の厚さが増えて、ムーブメントの厚さが厚くなる課題があった。
【０００９】
本発明の目的は、日送り機構および月送り機構が薄く、したがって、ムーブメントの厚さが薄いカレンダ機構付き時計を提供することにある。
本発明の他の目的は、日送り機構および月送り機構の作動が安定しているカレンダ機構付き時計を提供することにある。
【課題を解決するための手段】
【００１０】
本発明は、月車と日車を有するカレンダ機構付き時計において、日を表示する日車と、月を表示する月車と、２４時間に１回転するように構成された日回し車と、日回し車の回転に基づいて、日車を回転させることができるように構成された日送り爪と、日回し車の回転に基づいて、月車を回転させることができるように構成された月送り爪と、日車の回転および月車の回転に基づいて、日送り爪が日車を回転させる作動を規正することができるように構成された日送り規正レバーと、日車の回転に基づいて、月送り爪が月車を回転させる作動を規正することができるように構成された月送り規正レバーとを備えるように構成した。
【００１１】
本発明のカレンダ機構付き時計では、日車は、ムーブメントの内側に面する内側壁部と、ムーブメントの外側に面する外側壁部と、日文字を設けた日表示面部と、日送り爪の日送り部に接触する日車歯部とを含むように構成される。このカレンダ機構付き時計では、日送り規正レバーの日車係合部は、日車の内側壁部と接触するように構成され、月送り規正レバーの月送り規正レバーピンは、日車の外側壁部と接触するように構成される。
【００１２】
このカレンダ機構付き時計では、日車の表示が「３０日」であるときを検出するための日送り制御用カムが、日車の内側壁部に設けられ、日車の表示が「３１日」であるときを検出するための月送り制御用カムが、日車の外側壁部に設けられる。本発明のカレンダ機構付き時計では、日送り規正レバーの作動を制御するために日車の内側壁部を用い、月送り規正レバーの作動を制御するために日車の外側壁部を用いるので、日送り機構および月送り機構の作動は安定している。
【００１３】
本発明のカレンダ機構付き時計では、日車の内側壁部は、日表示面部の下側に配置されるのがよい。本発明のカレンダ機構付き時計では、日車の内側壁部は、日車の下面側に配置され、日車歯部は、日車の下面側に配置されるのがよい。本発明のカレンダ機構付き時計では、月送り規正レバーは、日車および日回し車の下側に配置されるのが好ましい。この構成により、ムーブメントの厚さが薄いカレンダ機構付き時計を実現することができる。
【００１４】
本発明のカレンダ機構付き時計では、月送り規正レバーは、日回し車の回転中心および月車の回転中心を通る直線にそって、直線運動することができるように構成されるのが好ましい。この構成により、日送り機構および月送り機構の作動は安定しているカレンダ機構付き時計を実現することができる。
【００１５】
本発明のカレンダ機構付き時計では、月送り規正レバーの一部分は、日回し車の一部分と重なるように配置され、かつ、日送り規正レバーの一部分と重なるように配置されるのが好ましい。本発明のカレンダ機構付き時計では、日回し車および月送り規正レバーは、電池と重ならないように配置されるのが好ましい。また、本発明のカレンダ機構付き時計では、日車の外側壁部に設けられた月送り制御用カムの最上部の位置が、前記日車に設けられた日車歯部の上面と同じ位置になるように構成され、もしくは、前記日車に設けられた日車歯部の上面よりも上側の位置になるように構成されるのが好ましい。また、本発明のカレンダ機構付き時計では、日車の外側壁部に設けられた月送り制御用カムの最上部の位置が、前記日送り制御用カムの最下部と同じ位置になるように構成され、もしくは、前記日送り制御用カムの最下部よりも上側に位置するように構成されるのが好ましい。このように構成することにより、カムの作動が安定していて、かつ、ムーブメントの厚さが薄いカレンダ機構付き時計を実現することができる。
【００１６】
次に、本発明のカレンダ機構付き時計において、典型的な表示状態における作用を説明する。本発明のカレンダ機構付き時計では、「大の月」の「３０日」を表示している状態において、月の表示は「３月」に対応する「ＭＡＲ」である。日回し車が回転すると、日送り爪の日送り部は、日車の１つの歯に接触し、月送り爪の月送り部は、月星車の月星車歯部に接触しない。さらに日回し車が回転すると、日送り爪がさらに回転して、日車を１歯だけ反時計回り方向に送る。一方、月送り爪の月送り部は、月星車の月星車歯部に接触しない。したがって、日送り爪は日車を１歯だけ反時計回り方向に送り、日の表示は「３１日」に変わる。月送り爪の月送り部は、月星車の月星車歯部に接触しないで回転する。したがって、「大の月」の「３０日」を表示している状態から「３１日」を表示する状態に変わるとき、月送りは行なわれないので、月の表示は変わらないで「ＭＡＲ」のままである。「３月」以外の「大の月」における作動は、「３月」の作動と同様である。
【００１７】
また、本発明のカレンダ機構付き時計では、「小の月」の「３０日」を表示している状態において、月の表示は「４月」に対応する「ＡＰＲ」である状態において、日車の回転および月車の回転に基づいて「小の月」を検出し、同時に、「３０日」を検出する。日送り爪の日送り部は、日車の第１の歯を送り、月送り爪の月送り部は、月星車の月星車歯部に接触しないように回転する。さらに日回し車２１０が回転すると、日の表示は「３１日」に変わる。さらに日回し車が回転すると、日送り爪がさらに回転して、日車の第２の歯を反時計回り方向に送ることができる。一方、月送り爪の月送り部は、月星車の月星車歯部を１歯だけ時計回り方向に送ることができる。したがって、日の表示は「１日」に変わり、月の表示は「ＭＡＹ」に変わる。「４月」以外の「小の月」の月末における作動は、「４月」の月末における作動と同様である。
【００１８】
以上説明したように、本発明のカレンダ機構付き時計では、日車の内側壁部に設けた日送り制御用カムの働きにより日送り規正レバーを作動させて、月末に日送りを行い、日車の外側壁部に設けた月送り制御用カムの働きにより月送り規正レバーを作動させて、月送りを行うことができる。
【発明の効果】
【００１９】
本発明のカレンダ機構付き時計は、日送り規正レバーの日車接触部は、日車の内側壁部と接触し、月送り規正レバーの日車接触部は、日車の外側壁部と接触するように構成されるので、日送り機構および月送り機構の作動は安定している。また、本発明のカレンダ機構付き時計では、日送り機構の一部分と月送り機構の一部分とを重ねて配置することができるので、ムーブメントの厚さを薄くすることができる。
【発明を実施するための最良の形態】
【００２０】
以下に、本発明のカレンダ機構付き時計の実施の形態を図面に基づいて説明する。以下に説明する本発明の実施形態は、カレンダ機構付き時計をアナログ電子時計で構成したときの実施形態である。以下の説明は、本発明のカレンダ機構付き時計をアナログ電子時計に適用した構成について説明しているけれども、本発明は、アナログ電子時計だけでなく、機械式時計にも適用することができる。すなわち、本明細書における「カレンダ機構付き時計」という概念は、「アナログ電子時計」も、「機械式時計」も、他のすべての作動原理のアナログ時計も含む概念である。
【００２１】
（１）ムーブメントの全体構成：
図１から図４および図２３を参照すると、ムーブメント１００はアナログ電子時計で構成される。ムーブメント１００は、ムーブメント１００の基板を構成する地板１０２を含む。文字板１０４がムーブメント１００のガラス側に取付けられる。巻真１１０が、地板１０２に回転可能に組み込まれる。切換装置・規正装置は、巻真１１０と、規正レバー４６８と、電池プラス端子６６２の巻真位置決め部６６３とを含む。
【００２２】
（２）ムーブメントの表側の構成：
次に、ムーブメントの表側の構成について説明する。図２から図４および図２３を参照すると、ムーブメント１００において、時計の動力源を構成する電池４４０が、地板１０２の裏蓋側（表側）に配置される。電池４４０の中心は、ムーブメント１００において、「１０時方向」と「２時方向」との間に配置されるのが好ましい。電池４４０の中心は、ムーブメント１００において、「１１時方向」と「１時方向」との間に配置されるのが一層好ましい。時計の源振を構成する水晶ユニット６５０が地板１０２の裏蓋側に配置される。水晶振動子が、水晶ユニット６５０に収容されている。水晶振動子の振動に基づいて、ステップモータにモータ駆動信号を出力するモータ駆動部（ドライバ）が、集積回路（ＩＣ）６５４に内蔵される。
【００２３】
水晶ユニット６５０と集積回路６５４とは回路基板６１０に固定される。回路基板６１０と、水晶ユニット６５０と、集積回路６５４とが回路ブロック６１２を構成する。回路ブロック６１２は、地板１０２の裏蓋側に配置される。電池マイナス端子６６０は、電池４４０の陰極と、回路基板６１０のマイナスパターンを導通させるために設けられる。電池プラス端子６６２は、電池４４０の陽極と、回路基板６１０のプラスパターンを導通させるために設けられる。ステップモータを構成するコイルブロック６３０、ステータ６３２、ロータ６３４が、地板１０２の裏蓋側に配置される。
【００２４】
ロータ６３４の回転により、五番車４４１が回転するように構成される。五番車４４１の回転により、四番車４４２が回転するように構成される。四番車４４２の回転により、三番車４４４が回転するように構成される。三番車４４４の回転により、分車４４６が回転するように構成される。分車４４６の回転により、日の裏車４４８が回転するように構成される。日の裏車４４８の回転により、筒車１８０が回転するように構成される。筒車１８０は筒歯車１８１と、日送り歯車１８２とを含む。時針４６４が筒車１８０に取付けられる。筒車１８０は１２時間に１回転するように構成される。
【００２５】
四番車４４２は１分間に１回転するように構成されている。秒針４６０が四番車４４２に取付けられる。分車４４６は１時間に１回転するように構成される。分針４６２が分車４４６に取付けられる。スリップ機構が分車４４６に設けられる。巻真１１０を２段目に引き出して針合わせをするときに、五番車４４１の歯車部を規正して秒針４６０の回転を停止させるために、規正レバー４６８が設けられる。中心パイプ１０３が地板１０２に固定される。中心パイプ１０３は地板１０２の裏蓋側から地板１０２の文字板側に延びる。表輪列を回転可能に支持する輪列受１５８が、地板１０２の裏蓋側に配置される。
【００２６】
（３）切換機構、針合わせ機構の構成：
以下に、切換機構、針合わせ機構の構成について説明する。図４および図２３を参照すると、ムーブメント１００において、巻真１１０が、地板１０２に回転可能に組み込まれる。巻真１１０は、先端側から順に形成された先端軸部１１１と、第１角部１１２と、第１軸部１１３と、規正作動軸部１１４と、第２軸部１１５と、第２角部１１６と、第３軸部１１７と、第１そろばん玉部１１８と、第２そろばん玉部１１９と、元軸部１２０とを含む。巻真１１０の先端軸部１１１は、地板１０２の巻真先端穴に対して回転可能なように組み込まれる。巻真１１０の元軸部１２０は、地板１０２の巻真元穴に対して回転可能なように組み込まれる。第１そろばん玉部１１８の外径は、第２そろばん玉部１１９の外径より大きいように構成するのがよい。
【００２７】
つづみ車４７２が巻真１１０の回転軸線と同一の回転軸線を有するように配置される。巻真１１０が０段目および１段目にあるとき、つづみ車４７２の連動角穴が巻真１１０の第１軸部１１３に対して回転可能であり、巻真１１０を回転させても、つづみ車４７２が回転しないように構成される。巻真１１０が２段目にあるとき、つづみ車４７２の連動角穴が巻真１１０の第１角部１１２と嵌め合い、巻真１１０の回転に基づいてつづみ車４７２が回転するように構成される。巻真１１０が０段目にあるとき、電池プラス端子６６２の巻真位置決め部６６３は、元軸部１２０と、第２そろばん玉部１１９との間に位置するように構成される。巻真１１０が１段目にあるとき、電池プラス端子６６２の巻真位置決め部６６３は、第１そろばん玉部１１８と、第２そろばん玉部１１９との間に位置するように構成される。巻真１１０が２段目にあるとき、電池プラス端子６６２の巻真位置決め部６６３は、第１そろばん玉部１１８と、第３軸部１１７との間に位置するように構成される。したがって、上記構成の切換装置では、電池プラス端子６６２の巻真位置決め部６６３により、巻真１１０を３つの軸線方向の位置（０段目、１段目、２段目）に位置決めすることができる。
【００２８】
巻真１１０が０段目にあるとき、および、巻真１１０が１段目にあるとき、規正レバー４６８は、巻真１１０の規正作動軸部１１４が規正レバー４６８と接触しないで、五番車４４１の歯車部を規正しないように構成される。巻真１１０が２段目にあるとき、巻真１１０の規正作動軸部１１４が規正レバー４６８と接触して、五番車４４１の歯車部を規正するように構成される。
【００２９】
図１および図４を参照すると、第一カレンダ修正車２９１が巻真１１０の回転軸線と同一の回転軸線を有するように配置される。巻真１１０が０段目にあるとき、第一カレンダ修正車２９１の連動丸穴が巻真１１０の第３軸部１１７に対して回転可能であり、巻真１１０を回転させても第一カレンダ修正車２９１が回転しないように構成される。巻真１１０が１段目にあるとき、第一カレンダ修正車２９１の連動丸穴が巻真１１０の第２角部１１６と嵌め合い、巻真１１０の回転に基づいて第一カレンダ修正車２９１が回転するように構成される。巻真１１０が２段目にあるとき、第一カレンダ修正車２９１の連動丸穴が巻真１１０の第２軸部１１５に対して回転可能であり、巻真１１０を回転させても第一カレンダ修正車２９１が回転しないように構成される。
【００３０】
日の裏車４４８の日の裏歯車は、小鉄車４４９と噛み合うように配置される。小鉄車４４９は、地板１０２と輪列受１５８との間に配置される。日の裏車４４８の日の裏かなは、地板１０２の文字板側に位置し、筒車１８０の筒歯車１８１と噛み合うように構成される。筒車１８０の穴部は、中心パイプ１０３の軸部分の外周部に回転可能に支持される。
【００３１】
（４）カレンダ機構の構成：
次に、カレンダ機構の構成について説明する。図１は、３月３０日を表示している状態における、文字板側から見たムーブメント１００の裏側の構造を示す平面図である。図１から図５を参照すると、ムーブメント１００は、筒車１８０の回転により回転する日回し車２１０と、日付を表示する日車２２０と、日車２２０の回転方向の位置を規正するための日ジャンパ２６０と、月を表示する月車２４０と、月車２３０の回転方向の位置を規正するための月ジャンパ２６２と、日車２２０を地板１０２に対して、反時計回り方向に回転可能なように支持する日車押さえ２６４とを備える。日回し車２１０は２４時間に１回、反時計回り方向に回転するように構成される。日回し車２１０の回転中心は、ムーブメント１００において、「４時方向」と「８時方向」との間に配置されるのが好ましい。日回し車２１０の回転中心は、ムーブメント１００において、「５時方向」と「７時方向」との間に配置されるのが一層好ましい。日回し車２１０は、電池４４０と重ならないように配置されるのがよい。日車２２０の回転中心は、筒車１８０の回転中心と同じ位置であるのが好ましい。
【００３２】
日車２２０は、ムーブメントの内側に面する内側壁部２２１と、ムーブメントの外側に面する外側壁部２２２と、日文字２２３を設けた日表示面部２２４を含む日板部２２５と、日車歯部２２６とを含む。日車歯部２２６は、等しい角度間隔（３６０／３１度）で配置された３１個の内歯を含む。日文字２２３は、等しい角度間隔（３６０／３１度）で配置された３１個の「日付」を示す数字（例えば、「１」、「２」、「３」、・・・、「２９」、「３０」、「３１」）などで構成することができる。
【００３３】
日車２２０の内側壁部２２１は、日表示面部２２４の下側に配置される。日車２２０の内側壁部２２１は、日車２２０の下面側に配置され、日車歯部２２６は、日車２２０の下面側に配置される。日車２２０の表示が「３０日」であるときを検出するための３０日検出カム２２７が日車２２０の内側壁部２２１に設けられる。３０日検出カム２２７は、日送り制御用カムを構成する。３０日検出カム２２７は、日車２２０の内側壁部２２１において、半径方向外方に向ってくぼんだ凹部として１箇所だけ形成される。３０日検出カム２２７は、開角度が（３６０／３１）度未満になるように形成されるのがよい。３０日検出カム２２７は、開角度が９度から１１度の範囲になるように形成されるのがよい。
【００３４】
日車２２０の表示が「３１日」であるときを検出するための３１日検出カム２２８が、日車２２０の外側壁部２２２に設けられる。３１日検出カム２２８は、月送り制御用カムを構成する。３１日検出カム２２８の部分を除いた日車２２０の外側壁部２２２の部分は、月送り規正カム２２９を構成する。３１日検出カム２２８は、日車２２０の外側壁部２２２において、半径方向内方に向ってくぼんだ凹部として１箇所だけ形成される。３１日検出カム２２８は、開角度が（３６０／３１）度未満になるように形成されるのがよい。３１日検出カム２２８は、開角度が９度から１１度の範囲になるように形成されるのがよい。月送り制御用カム、すなわち、３１日検出カム２２８の最上部の位置が、日車歯部２２６の上面と同じ位置になるように構成され、もしくは、日車歯部２２６の上面よりも上側の位置になるように構成されるのが好ましい。また、月送り制御用カム、すなわち、３１日検出カム２２８の最上部の位置が、日送り制御用カム、すなわち、３０日検出カム２２７の最下部と同じ位置になるように構成され、もしくは、３０日検出カム２２７の最下部よりも上側に位置するように構成されるのが好ましい。このように構成することにより、カムの作動が安定していて、かつ、ムーブメントの厚さが薄いカレンダ機構付き時計を実現することができる。
【００３５】
月車２４０は、月文字２４３を設けた月表示面部２４４を含む月板２４５と、月星車歯部２４６を含む月星車２４７と、月車２４０の表示が「大の月」（すなわち、「１月」、「３月」、「５月」、「７月」、「８月」、「１０月」、「１２月」）であるときに対応する月カム２４８とを含む。月カム２４８は、１２月および１月に対応する１月カム２４８Ａ、３月に対応する３月カム２４８Ｂ、５月に対応する５月カム２４８Ｃ、７月および８月に対応する７月カム２４８Ｄ、１０月に対応する１０月カム２４８Ｅの５箇所に円弧部分を含むように構成される。
【００３６】
月星車歯部２４６は、等しい角度間隔（３６０／１２度）で配置された１２個の外歯を含む。月文字２４３は、等しい角度間隔（３６０／１２度）で配置された１２個の「月」を示す文字（例えば、「ＪＡＮ」、「ＦＥＢ」、・・・、「ＮＯＶ」、「ＤＥＣ」など）で構成することができる。或いは、月文字２４３は、等しい角度間隔（３６０／１２度）で配置された１２個の「月」を示す数字、記号、文字、略字、又は、それらの適当な組み合わせ（例えば、「１月」、「２月」、・・・、「１１月」、「１２月」、或いは、「一月」、「二月」、・・・、「十一月」、「十二月」、或いは、「Ｊａｎ」、「Ｆｅｂ」、・・・、「Ｎｏｖ」、「Ｄｅｃ」などの表示）などで構成することもできる。
【００３７】
小の月検出カム２４９が、月車２４０の表示が「小の月」（すなわち、「２月」、「４月」、「６月」、「９月」、「１１月」）であるときを検出するために設けられる。小の月検出カム２４９は、半径方向内方に向ってくぼんだ凹部として５箇所に構成される。小の月検出カム２４９は、２月に対応する２月カム２４９Ａ、４月に対応する４月カム２４９Ｂ、６月に対応する６月カム２４９Ｃ、９月に対応する９月カム２４９Ｄ、１１月に対応する１１月カム２４９Ｅの５個の凹部を含むように構成される。小の月検出カム２４９の基準位置は、角度間隔が、順番に（２＊３６０／１２度）、（２＊３６０／１２度）、（３＊３６０／１２度）、（２＊３６０／１２度）、（３＊３６０／１２度）となるように配置されている。
【００３８】
日ジャンパ２６０の規正部が日車歯部２２６を規正するように構成される。月ジャンパ２６２の規正部が月星車歯部２４６を規正するように構成される。月車２４０の回転中心は、筒車１８０の回転中心と同じ位置であるのが好ましい。したがって、月車２４０の回転中心は、日車２２０の回転中心と同じ位置であるのがよい。月車２４０の月表示面部２４４は、日車２２０の日表示面部２２４の内側に配置される。
【００３９】
日車歯部２２６を送るための日送り爪２１２が、日回し車２１０の回転により一体になって回転するように設けられる。日送り爪２１２は、先端の配置された日送り部２１３と、日送り爪ばね部２１４と、日送り爪ピン２１５を含む。日送り爪ばね部２１４の元部は、日回し車２１０に固定される。月星車歯部２４６を送るための月送り爪２１６が、日回し車２１０の回転により一体になって回転するように設けられる。月送り爪２１６は、先端に配置された月送り部２１７と、月送り爪ばね部２１８と、月送り爪ピン２１９を含む。月送り爪ばね部２１８の元部は、日回し車２１０に固定される。日回し車２１０の回転により、日送り爪２１２が回転して、日送り爪２１２により日車２２０は間欠的に３６０／３１度ずつ、反時計回り方向に回転することができるように構成される。また、日回し車２１０の回転により、月送り爪２１６が回転して、月送り爪２１６により月車２４０は間欠的に３６０／１２度ずつ、時計回り方向に回転することができるように構成される。
【００４０】
日送り爪２１２、月送り爪２１６は、弾性変形可能な材料（例えば、ポリアセタールなどのエンジニアリングプラスチック）で構成される。日送り爪２１２および月送り爪２１６は、日回し車２１０と一体になるように形成することができる。日送り爪２１２は、日回し車２１０と別個に形成して、日回し車２１０の回転により一体になって回転するように構成することができる。月送り爪２１６は、日回し車２１０と別個に形成して、日回し車２１０の回転により一体になって回転するように構成することができる。
【００４１】
日送り規正レバー２３０が、月板２４５と日車押え２６４との間に回転可能なように配置される。日送り規正レバー２３０は、日車２２０の回転および月車２４０の回転に基づいて位置きめされ、日送り爪２１２が日車２２０を回転させる作動を規正することができるように構成される。日送り規正レバー２３０の回転中心２３１は、ムーブメント１００において、「６時方向」と「８時方向」との間に配置されるのが好ましい。日送り規正レバー２３０は、ムーブメント１００において、「６時方向」と「１０時方向」との間に配置されるのが好ましい。
【００４２】
日送り規正レバー２３０は、月車２４０の月カム２４８と接触可能なように配置された月カム係合部２３２と、日送り爪２１２の日送り爪ピン２１５と接触可能なように配置された日送り爪規正部２３３と、日車２２０の内側壁部２２１および３０日検出カム２２７と接触可能なように配置された日車係合部２３４とを含む。したがって、日送り爪２１２の日送り爪ピン２１５は、日送り規正レバー２３０と接触可能なように構成される。このように構成することにより、日送り爪２１２および日送り規正レバー２３０の作動を安定させることができる。
【００４３】
月送り規正レバー２５０が、地板１０２と日回し車２１０との間に配置される。月送り規正レバー２５０は、日車２２０の回転に基づいて位置を規正され、月送り爪２１６が月車２４０を回転させる作動を規正することができるように構成される。月送り爪２１６の月送り爪ピン２１９は、月送り規正レバー２５０と接触可能なように構成される。このように構成することにより、月送り爪２１６および月送り規正レバー２５０の作動を安定させることができる。月送り規正レバー２５０は、ムーブメント１００において、「４時方向」と「８時方向」との間に配置されるのが好ましい。月送り規正レバー２５０は、月送り爪２１６の月送り爪ピン２１９と接触可能なように配置された月送り爪規正部２５３と、日車２２０の３１日検出カム２２８および月送り規正カム２２９と接触可能なように配置された月送り規正レバーピン２５４と、月送り規正レバー２５０の移動を案内するガイド部２５５とを含む。
【００４４】
月送り規正レバー案内部１０５が地板１０２に設けられる。月送り規正レバー２５０は、そのガイド部２５５が月送り規正レバー案内部１０５にそって移動することができるように構成される。ガイド部２５５は、長孔部分を含むように構成することができる。月送り規正レバー案内部１０５は、円柱状部分を含むように構成することができる。このように構成することにより、月送り規正レバー２５０の作動を安定させることができる。
【００４５】
月送り規正レバー２５０は、日車２２０および日回し車２１０の下側（地板１０２のある側）に配置される。月送り規正レバー２５０は、日回し車２１０の回転中心および月車２４０の回転中心を通る直線にそって、直線運動することができるように構成される。月送り規正レバー２５０の一部分は、日回し車２１０の一部分と重なるように配置される。月送り規正レバー２５０の一部分は、日送り規正レバー２３０の一部分と重なるように配置されるのがよい。特に、日送り規正レバー２３０の日送り爪規正部２３３が、月送り規正レバー２５０のガイド部２５５の外側の部分と、断面的にみて重なるように配置されるのが好ましい。
【００４６】
さらに、ムーブメント１００の裏側に配置される日回し車２１０は、ムーブメント１００の表側に配置される電池４４０と、断面的にみて重ならないように配置されるのがよい。また、ムーブメント１００の裏側に配置される月送り規正レバー２５０は、ムーブメント１００の表側に配置される電池４４０と、断面的にみて重ならないように配置されるのがよい。このように構成することにより、ムーブメントの厚さが薄いカレンダ機構付き時計を実現することができる。
【００４７】
（５）カレンダ修正機構の構成：
図１および図４を参照すると、ムーブメント１００において、カレンダ修正機構は、第一カレンダ修正車２９１と、第二カレンダ修正車２９２と、日修正車２９３と、月修正車２９４と、修正車ばね５９５とを含む。修正車ばね５９５は、日車押え２６４と一体に形成することができる。修正車ばね５９５は、日修正車２９３を地板１０２に向かって加圧するように構成される。日修正車２９３は、地板１０２に設けられた案内穴にそって揺動できるように構成される。日修正車２９３の回転中心は、ムーブメント１００において、「１時方向」と「２時方向」との間に配置されるのが好ましい。月修正車２９４の回転中心は、ムーブメント１００において、「１２時方向」と「１時方向」との間に配置されるのが好ましい。
【００４８】
巻真１１０が１段目にある状態において、第一カレンダ修正車２９１の連動穴が巻真１１０の第２角部１１６と嵌め合い、巻真１１０の回転に基づいて第一カレンダ修正車２９１が回転するように構成される。この状態で、巻真１１０を第１の方向に回転させると、第一カレンダ修正車２９１の回転に基づいて、第二カレンダ修正車２９２が回転するように構成される。
【００４９】
第二カレンダ修正車２９２の回転に基づいて、日修正車２９３が、日車２２０の日車歯部２２６と噛合う位置まで揺動して停止し、その修正位置で日修正車２９３は回転するように構成される。日修正車２９３が前記修正位置で回転すると、日車２２０を反時計回り方向に回転させることができるように構成される。巻真１１０が１段目にある状態において、前記第１の方向と反対方向である第２の方向に巻真１１０を回転させると、第一カレンダ修正車２９１の回転に基づいて、第二カレンダ修正車２９２が回転するように構成される。
【００５０】
第二カレンダ修正車２９２の回転に基づいて、日修正車２９３が、日車２２０の日車歯部２２６から離れる方向に移動し、月修正車２９４と噛合う位置まで揺動して停止し、その修正位置で日修正車２９３は回転するように構成される。月修正車２９４の歯部は、月星車歯部２４６と噛合うように構成される。日修正車２９３が前記修正位置で回転すると、月修正車２９４の回転を介して月車２４０を時計回り方向に回転させることができるように構成される。
【００５１】
（６）カレンダ機構付き時計の作動：
（６・１）時刻情報の表示：
次に、本発明のカレンダ機構付き時計の作動について説明する。図２２を参照すると、ムーブメント１００を時計ケース３１０の中に組み入れ、文字板１０４と、りゅうず３１０、時針４６４、分針４６２、秒針４６０を取り付けてコンプリート３００を構成する。文字板１０４に設けた窓３０４から、日表示面部２２４に設けた日を示す文字「３０」と、月表示面部２４４に設けた月を示す文字「ＭＡＲ」を読むことができる。すなわち、コンプリート３００は、「３月３０日」を表示している。文字板１０４の「３時方向」に窓３０４を形成したカレンダ機構付き時計の実施形態を図２２に示すけれども、日文字と月文字の配置や向きを適当に選択することによって、文字板１０４の「３時方向」以外の位置に窓を形成したカレンダ機構付き時計を実現することもできる。
【００５２】
図１から図４、図２２および図２３を参照すると、電池４４０、水晶ユニット６５０、集積回路（ＩＣ）６５４によってステップモータを駆動させると、ロータ６３４が一定の速度で回転する。ロータ６３４の回転に基づいて、五番車４４１の回転を介して四番車４４２が回転する。四番車４４２に取付けられた秒針４６０により、時刻情報のうちの「秒」を表示する。三番車４４４が四番車４４２の回転に基づいて回転する。分車４４６が三番車４４４の回転に基づいて回転する。分車４４６に取付けられた分針４６２により、時刻情報のうちの「分」を表示する。日の裏車４４８が分車４４６の回転に基づいて回転する。筒車１８０が日の裏車４４８の回転に基づいて回転する。筒車１８０に取付けられた時針４６４により、時刻情報のうちの「時」を表示する。
【００５３】
（６・２）カレンダ送りの作動：
（６・２・１）「大の月」において、月末以外における作動：
次に、本発明のカレンダ機構付き時計のカレンダ送りの作動について説明する。図２から図４および図２４を参照すると、「大の月」の月末以外において、日送り規正レバー２３０の月カム係合部２３２は、月車２４０の月カム２４８と接触し、かつ、日送り規正レバー２３０の日車係合部２３４は、日車２２０の内側壁部２２１に接触できるような位置に配置される。月送り規正レバー２５０の月送り規正レバーピン２５４は、日車２２０の月送り規正カム２２９と接触可能なように配置され、月送り規正レバー２５０は、地板１０２の半径方向外方の位置に配置される。
【００５４】
この状態において、筒車１８０の回転により日回し車２１０が回転すると、日送り爪２１２および月送り爪２１６も同時に回転する。日送り爪２１２が回転すると、日送り爪２１２の日送り爪ピン２１５は、日送り規正レバー２３０の日送り爪規正部２３３と接触し、日送り爪２１２の日送り部２１３は、日回し車２１０の回転中心に向う方向に移動する。したがって、日送り爪２１２の日送り部２１３は、日車２２０の日車歯部２２６を１歯だけ反時計回り方向に送ることができる。日送りの作動は、例えば、午後８時から午後１２時の間に行うように構成することができる。
【００５５】
また、月送り爪２１６が回転すると、月送り爪２１６の月送り爪ピン２１９は、月送り規正レバー２５０の月送り爪規正部２５３と接触し、月送り爪２１６の月送り部２１７は、日回し車２１０の回転中心に向う方向に移動する。したがって、月送り爪２１６の月送り部２１７は、月星車２４７の月星車歯部２４６に接触しないで回転することができる。したがって、「大の月」において、月末以外の作動では、月送りは行なわれないので、月の表示は変わらない。
【００５６】
（６・２・２）「小の月」において、月末以外における作動：
図２から図４および図２４を参照すると、「小の月」の月末以外において、日送り規正レバー２３０の月カム係合部２３２は、月車２４０の小の月検出カム２４９に対応する位置に配置され、かつ、日送り規正レバー２３０の日車係合部２３４は、日車２２０の内側壁部２２１に接触できるような位置に配置される。月送り規正レバー２５０の月送り規正レバーピン２５４は、日車２２０の月送り規正カム２２９と接触可能なように配置され、月送り規正レバー２５０は、地板１０２の半径方向外方の位置に配置される。日送り規正レバー２３０の日車係合部２３４が日車２２０の内側壁部２２１に接触できる位置にあるので、日送り規正レバー２３０は、時計回り方向に回転することはない。したがって、「小の月」において、月末以外における日送りの作動は、上述したような「大の月」の月末以外における作動と同様である。
【００５７】
（６・２・３）「大の月」において、「３０日」から「３１日」に変わる作動：
図１から図５および図２４を参照すると、「大の月」の「３０日」を表示している状態において、月の表示は「３月」に対応する「ＭＡＲ」である。この状態では、日送り規正レバー２３０の月カム係合部２３２は、月車２４０の３月カム２４８Ｂと接触し、かつ、日送り規正レバー２３０の日車係合部２３４は、日車２２０の３０日検出カム２２７の凹部に対応するような位置に配置される。月送り規正レバー２５０の月送り規正レバーピン２５４は、日車２２０の月送り規正カム２２９と接触可能なように配置され、月送り規正レバー２５０は、地板１０２の半径方向外方の位置に配置される。月送り爪２１６の月送り爪ピン２１９は、月送り規正レバー２５０の月送り爪規正部２５３から離れた位置にある。
【００５８】
図６を参照すると、筒車１８０の回転により日回し車２１０が回転すると、日送り爪２１２および月送り爪２１６も同時に回転する。日送り爪２１２が回転すると、日送り爪２１２の日送り爪ピン２１５は、日送り規正レバー２３０の日送り爪規正部２３３と接触し、日送り爪２１２の日送り部２１３は、日回し車２１０の回転中心に向う方向に移動する。また、月送り爪２１６が回転すると、月送り爪２１６の月送り爪ピン２１９は、月送り規正レバー２５０の月送り爪規正部２５３と接触し、月送り爪２１６の月送り部２１７は、日回し車２１０の回転中心に向う方向に移動する。
【００５９】
図７を参照すると、さらに日回し車２１０が回転すると、日送り爪２１２がさらに回転して、日送り爪２１２の日送り部２１３は、日車２２０の日車歯部２２６の１つの歯に接触する。一方、月送り爪２１６の月送り部２１７は、月星車２４７の月星車歯部２４６に接触しないように回転する。
【００６０】
図８を参照すると、さらに日回し車２１０が回転すると、日送り爪２１２がさらに回転して、日車２２０の日車歯部２２６を１歯だけ反時計回り方向に送ることができる。一方、月送り爪２１６の月送り部２１７は、月星車２４７の月星車歯部２４６に接触しないように回転する。
【００６１】
図９を参照すると、日送り爪２１２は日車２２０の日車歯部２２６を１歯だけ反時計回り方向に送り終わり、日の表示は「３１日」に変わる。月送り爪２１６の月送り部２１７は、月星車２４７の月星車歯部２４６に接触しないで回転することができる。したがって、「大の月」の「３０日」を表示している状態から「３１日」を表示する状態に変わるとき、月送りは行なわれないので、月の表示は変わらないで「ＭＡＲ」のままである。「３月」以外の「大の月」における作動は、「３月」の作動と同様である。
【００６２】
（６・２・４）「大の月」において、「３１日」から次の月の「１日」に変わる作動：
図２から図４、図１０および図２４を参照すると、「大の月」の「３１日」を表示している状態において、月の表示は「３月」に対応する「ＭＡＲ」である。この状態では、日送り規正レバー２３０の月カム係合部２３２は、月車２４０の３月カム２４８Ｂと接触し、かつ、日送り規正レバー２３０の日車係合部２３４は、日車２２０の内側壁部２２１に接触できるような位置に配置される。月送り規正レバー２５０の月送り規正レバーピン２５４は、日車２２０の３１日検出カム２２８に対応する位置に配置され、月送り規正レバー２５０は、地板１０２の半径方向外方の位置に配置される。月送り爪２１６の月送り爪ピン２１９は、月送り規正レバー２５０の月送り爪規正部２５３から離れた位置にある。
【００６３】
図１１および図２４を参照すると、筒車１８０の回転により日回し車２１０が回転すると、日送り爪２１２および月送り爪２１６も同時に回転する。日送り爪２１２が回転すると、日送り爪２１２の日送り爪ピン２１５は、日送り規正レバー２３０の日送り爪規正部２３３と接触し、日送り爪２１２の日送り部２１３は、日回し車２１０の回転中心に向う方向とは逆方向に移動する。また、月送り爪２１６が回転すると、月送り爪２１６の月送り爪ピン２１９は、月送り規正レバー２５０の月送り爪規正部２５３と接触し、月送り規正レバー２５０は、地板１０２の半径方向内方に向う方向に移動する。すなわち、日車２２０の回転に基づいて「３１日」を検出すると、月送り規正レバー２５０は、地板１０２の半径方向内方に向う方向に移動する。
【００６４】
図１２を参照すると、さらに日回し車２１０が回転すると、日送り爪２１２がさらに回転して、日送り爪２１２の日送り部２１３は、日車２２０の日車歯部２２６の１つの歯に接触する。一方、月送り規正レバー２５０は、地板１０２の半径方向内方にさらに移動して、月送り規正レバー２５０の月送り規正レバーピン２５４は、日車２２０の３１日検出カム２２８に接触する。この状態において、月送り爪２１６の月送り部２１７は、月星車２４７の月星車歯部２４６の１つの歯に接触するように回転する。
【００６５】
図１３を参照すると、さらに日回し車２１０が回転すると、日送り爪２１２がさらに回転して、日車２２０の日車歯部２２６を１歯だけ反時計回り方向に送ることができる。一方、月送り爪２１６の月送り部２１７は、月星車２４７の月星車歯部２４６を１歯だけ時計回り方向に送ることができる。
【００６６】
図１４を参照すると、日送り爪２１２は日車２２０の日車歯部２２６を１歯だけ反時計回り方向に送り終わり、日の表示は「１日」に変わる。月送り爪２１６の月送り部２１７は、月星車２４７の月星車歯部２４６を１歯だけ時計回り方向に送り終わり、月の表示は「ＡＰＲ」に変わる。日送りおよび月送りの作動は、例えば、午後８時から午後１２時の間に行うように構成することができる。「３月」以外の「大の月」の月末における作動は、「３月」の月末における作動と同様である。
【００６７】
（６・２・５）「小の月」において、「３０日」から次の月の「１日」に変わる作動：
図２から図４、図１５および図２４を参照すると、「小の月」の「３０日」を表示している状態において、月の表示は「４月」に対応する「ＡＰＲ」である。この状態では、日送り規正レバー２３０の月カム係合部２３２は、月車２４０の４月カム２４９Ｂに対応する位置に配置され、かつ、日送り規正レバー２３０の日車係合部２３４は、日車２２０の３０日検出カム２２７の凹部に対応するような位置に配置される。月送り規正レバー２５０の月送り規正レバーピン２５４は、日車２２０の月送り規正カム２２９と接触可能なように配置され、月送り規正レバー２５０は、地板１０２の半径方向外方の位置に配置される。月送り爪２１６の月送り爪ピン２１９は、月送り規正レバー２５０の月送り爪規正部２５３から離れた位置にある。
【００６８】
図１６および図２４を参照すると、筒車１８０の回転により日回し車２１０が回転すると、日送り爪２１２および月送り爪２１６も同時に回転する。日送り規正レバー２３０の月カム係合部２３２は、月車２４０の４月カム２４９Ｂの凹部に入ることができる。日送り爪２１２が回転すると、日送り爪２１２の日送り爪ピン２１５は、日送り規正レバー２３０の日送り爪規正部２３３と接触し、かつ、日送り規正レバー２３０の日車係合部２３４は、日車２２０の３０日検出カム２２７の凹部に入ることができる。したがって、この状態では、月カム係合部２３２は４月カム２４９Ｂの凹部に入ることができ、かつ、日車係合部２３４は３０日検出カム２２７の凹部に入ることができるので、日送り規正レバー２３０は時計回り方向に回転することができる。すなわち、日車２２０の回転および月車２４０の回転に基づいて「小の月」を検出し、同時に、「３０日」を検出すると、日送り規正レバー２３０は時計回り方向に回転することができる。また、月送り爪２１６が回転すると、月送り爪２１６の月送り爪ピン２１９は、月送り規正レバー２５０の月送り爪規正部２５３と接触し、月送り爪２１６の月送り部２１７は、日回し車２１０の回転中心に向う方向に移動する。
【００６９】
図１７を参照すると、さらに日回し車２１０が回転すると、日送り爪２１２がさらに回転して、日送り爪２１２の日送り部２１３は、日車２２０の日車歯部２２６の第１の歯に接触する。一方、月送り爪２１６の月送り部２１７は、月星車２４７の月星車歯部２４６に接触しないように回転する。また、月送り爪２１６が回転すると、月送り爪２１６の月送り爪ピン２１９は、月送り規正レバー２５０の月送り爪規正部２５３と接触する。
【００７０】
図１８を参照すると、さらに日回し車２１０が回転すると、日送り爪２１２がさらに回転して、日車２２０の日車歯部２２６の１つの歯を反時計回り方向に送り終わり、日の表示は「３１日」に変わる。この状態で、月送り規正レバー２５０の月送り規正レバーピン２５４は、日車２２０の３１日検出カム２２８に対応する位置に配置される。また、月送り爪２１６が回転すると、月送り爪２１６の月送り爪ピン２１９は、月送り規正レバー２５０の月送り爪規正部２５３と接触し、月送り規正レバー２５０は、地板１０２の半径方向内方に向う方向に移動する。
【００７１】
図１９を参照すると、日送り爪２１２は日車２２０の日車歯部２２６の前記１つの歯に再び反時計回り方向に接触する。この状態において、月送り爪２１６の月送り部２１７は、月星車２４７の月星車歯部２４６の１つの歯に接触するように回転する。
【００７２】
図２０を参照すると、さらに日回し車２１０が回転すると、日送り爪２１２がさらに回転して、日車２２０の日車歯部２２６の前記１つの歯を反時計回り方向に送ることができる。一方、月送り爪２１６の月送り部２１７は、月星車２４７の月星車歯部２４６を１歯だけ時計回り方向に送ることができる。
【００７３】
図２１を参照すると、日送り爪２１２は日車２２０の日車歯部２２６の前記１つの歯を反時計回り方向に送り終わり、日の表示は「１日」に変わる。月送り爪２１６の月送り部２１７は、月星車２４７の月星車歯部２４６を１歯だけ時計回り方向に送り終わり、月の表示は「ＭＡＹ」に変わる。「４月」以外の「小の月」の月末における作動は、「４月」の月末における作動と同様である。なお、「２月」の月末における作動は、「４月」の月末における作動と同様であるので、「２月」の月末には、前述したカレンダ修正機構を用いて日修正を行う必要がある。
【００７４】
（７）機械式時計の構成：
本発明のカレンダ機構付き時計をアナログ電子時計に適用した構成について上述したけれども、本発明は、機械式時計にも適用することができる。本発明を機械式時計で構成する場合において、切換機構、カレンダ送り機構、カレンダ修正機構の構造および作用は、上述した本発明の実施形態の構造および作用と同様である。構造の詳細は図示しないけれども、機械式時計では、香箱車の香箱歯車の回転により、二番車、三番車の回転を介して、四番車が１分間に１回転する。四番車の回転速度は、がんぎ車により制御される。がんぎ車の回転速度は、アンクルにより制御される。アンクルの揺動運動は、てんぷにより制御される。三番車の回転により、分車が１時間に１回転する。分車の回転により、日の裏車の回転を介して筒車は１２時間に１回転するように構成される。筒車が回転することにより日回し車が回転する。
【００７５】
すなわち、機械式時計のムーブメントの裏側において、筒車の回転により日回し車を回転するように構成して、日送り機構および月送り機構を作動させることができる。機械式時計の構成では、日回し車および月送り規正レバーは、香箱車と重ならないように配置するのが好ましい。この構成により、ムーブメントの厚さが薄いカレンダ機構付き機械式時計を製造することができる。
【産業上の利用可能性】
【００７６】
本発明により、日送り機構および月送り機構を薄く構成して、ムーブメントの厚さが薄いカレンダ機構付き時計を製造することができる。また、本発明により、日送り機構および月送り機構の作動が安定しているカレンダ機構付き時計を製造することができる。
【図面の簡単な説明】
【００７７】
【図１】本発明のカレンダ機構付き時計の実施形態において、ムーブメントを文字板側から見たときの構造を示す概略平面図である。
【図２】本発明のカレンダ機構付き時計の実施形態において、筒車、日送り機構、月送り機構を示す部分断面図である。
【図３】本発明のカレンダ機構付き時計の実施形態において、筒車、日送り機構、月送り機構、月修正車を示す部分断面図である。
【図４】本発明のカレンダ機構付き時計の実施形態において、巻真から筒車の部分を示す部分断面図である。
【図５】本発明のカレンダ機構付き時計の実施形態において、３月３０日から３月３１日に変わる状態における、日送り機構、月送り機構の構造を示す部分平面図（その１）である。
【図６】本発明のカレンダ機構付き時計の実施形態において、３月３０日から３月３１日に変わる状態における、日送り機構、月送り機構の構造を示す部分平面図（その２）である。
【図７】本発明のカレンダ機構付き時計の実施形態において、３月３０日から３月３１日に変わる状態における、日送り機構、月送り機構の構造を示す部分平面図（その３）である。
【図８】本発明のカレンダ機構付き時計の実施形態において、３月３０日から３月３１日に変わる状態における、日送り機構、月送り機構の構造を示す部分平面図（その４）である。
【図９】本発明のカレンダ機構付き時計の実施形態において、３月３０日から３月３１日に変わる状態における、日送り機構、月送り機構の構造を示す部分平面図（その５）である。
【図１０】本発明のカレンダ機構付き時計の実施形態において、３月３１日から４月１日に変わる状態における、日送り機構、月送り機構の構造を示す部分平面図（その１）である。
【図１１】本発明のカレンダ機構付き時計の実施形態において、３月３１日から４月１日に変わる状態における、日送り機構、月送り機構の構造を示す部分平面図（その２）である。
【図１２】本発明のカレンダ機構付き時計の実施形態において、３月３１日から４月１日に変わる状態における、日送り機構、月送り機構の構造を示す部分平面図（その３）である。
【図１３】本発明のカレンダ機構付き時計の実施形態において、３月３１日から４月１日に変わる状態における、日送り機構、月送り機構の構造を示す部分平面図（その４）である。
【図１４】本発明のカレンダ機構付き時計の実施形態において、３月３１日から４月１日に変わる状態における、日送り機構、月送り機構の構造を示す部分平面図（その５）である。
【図１５】本発明のカレンダ機構付き時計の実施形態において、４月３０日から５月１日に変わる状態における、日送り機構、月送り機構の構造を示す部分平面図（その１）である。
【図１６】本発明のカレンダ機構付き時計の実施形態において、４月３０日から５月１日に変わる状態における、日送り機構、月送り機構の構造を示す部分平面図（その２）である。
【図１７】本発明のカレンダ機構付き時計の実施形態において、４月３０日から５月１日に変わる状態における、日送り機構、月送り機構の構造を示す部分平面図（その３）である。
【図１８】本発明のカレンダ機構付き時計の実施形態において、４月３０日から５月１日に変わる状態における、日送り機構、月送り機構の構造を示す部分平面図（その４）である。
【図１９】本発明のカレンダ機構付き時計の実施形態において、４月３０日から５月１日に変わる状態における、日送り機構、月送り機構の構造を示す部分平面図（その５）である。
【図２０】本発明のカレンダ機構付き時計の実施形態において、４月３０日から５月１日に変わる状態における、日送り機構、月送り機構の構造を示す部分平面図（その６）である。
【図２１】本発明のカレンダ機構付き時計の実施形態において、４月３０日から５月１日に変わる状態における、日送り機構、月送り機構の構造を示す部分平面図（その７）である。
【図２２】本発明のカレンダ機構付き時計の実施形態において、文字板の３時方向に日窓を配置した構成で、３月３０日を表示している状態におけるコンプリートを示す平面図である。
【図２３】本発明のカレンダ機構付き時計の実施形態において、ムーブメントを裏蓋側から見たときの構造を示す概略平面図である。
【図２４】本発明のカレンダ機構付き時計の実施形態において、カレンダ機構の構成を示す概略ブロック図である。
【符号の説明】
【００７８】
１００  ムーブメント
１０２  地板
１０４  文字板
１１０  巻真
１８０  筒車
２１０  日回し車
２１２  日送り爪
２１６  月送り爪
２２０  日車
２２１  内側壁部
２２６  日車歯部
２２２  外側壁部
２２７  日送り制御用カム
２２８  月送り制御用カム
２２９  月送り規正カム
２４０  月車
２３０  日送り規正レバー
２５０  月送り規正レバー
４４０  電池
【図１】
2008058093.tif 000003
【図２】
2008058093.tif 000004
【図３】
2008058093.tif 000005
【図４】
2008058093.tif 000006
【図５】
2008058093.tif 000007
【図６】
2008058093.tif 000008
【図７】
2008058093.tif 000009
【図８】
2008058093.tif 000010
【図９】
2008058093.tif 000011
【図１０】
2008058093.tif 000012
【図１１】
2008058093.tif 000013
【図１２】
2008058093.tif 000014
【図１３】
2008058093.tif 000015
【図１４】
2008058093.tif 000016
【図１５】
2008058093.tif 000017
【図１６】
2008058093.tif 000018
【図１７】
2008058093.tif 000019
【図１８】
2008058093.tif 000020
【図１９】
2008058093.tif 000021
【図２０】
2008058093.tif 000022
【図２１】
2008058093.tif 000023
【図２２】
2008058093.tif 000024
【図２３】
2008058093.tif 000025
【図２４】
2008058093.tif 000026